(57)【特許請求の範囲】
【請求項１】
複数のコンテンツデータを格納したデータベースを備え、ネットワークを介して通信可能に接続されたクライアント機器の要求に対応して前記コンテンツデータを送信するサーバ機器と、前記サーバ機器に対して所望するコンテンツデータの送信を要求し、送信された該コンテンツデータを表示する表示手段を有するクライアント機器と、を備えたクライアント・サーバシステムであって、
前記クライアント機器が、
前記表示手段に表示されたコンテンツデータに対してコメント領域を指定するコメント領域指定手段と、
コメント文を入力するコメント文入力手段と、
前記コメント領域、および該コメント領域を指定した前記コンテンツデータに付与された作品ID、前記コメント領域を指定したページ番号、並びに前記コメント文に基づいてコメント画面作成情報を生成するコメント画面作成情報生成手段と、
前記コメント画面作成情報を前記サーバ機器へ送信するコメント画面作成情報送信手段と、
を有し、
前記サーバ機器が、
前記コメント画面作成情報を受信するコメント画面作成情報受信手段と、
前記コメント画面作成情報に基づいて、前記コメント領域内の画像をコメント画像とし、前記コメント文と組み合わせることにより、前記クライアント機器の表示手段で表示するための前記コンテンツデータに関わるコメント画面情報を作成するコメント画面情報作成手段と、
を有することを特徴とするクライアント・サーバシステム。
【請求項２】
請求項１に記載のクライアント・サーバシステムであって、
前記クライアント機器のコメント画面作成情報生成手段は、前記表示手段に表示された前記コンテンツデータのページ番号、前記コメント領域指定手段によって指定されたページにおける前記コメント領域の位置情報、および該コメント領域の形状情報を取得し、
前記サーバ機器のコメント画面情報作成手段は、前記コメント画面作成情報に含まれる前記コンテンツデータの作品IDを参照して前記データベースよりコンテンツデータを抽出し、前記コンテンツデータのページ番号、該ページにおける前記コメント領域の位置情報および前記コメント領域の形状情報に基づいて前記コンテンツデータから前記コメント画像を抽出すること、
を特徴とするクライアント・サーバシステム。
【請求項３】
請求項１に記載のクライアント・サーバシステムであって、
前記クライアント機器のコメント画面作成情報生成手段は、前記コメント領域に含まれる前記コンテンツデータの表示画像を取得し、
前記サーバ機器のコメント画面情報作成手段は、前記コメント画面作成情報に含まれる前記コンテンツデータの作品ID、前記コンテンツデータのページ番号を前記コメント領域に含まれる前記コンテンツデータの表示画像に付与することにより、該コンテンツデータの表示画像をコメント画像とすること、
を特徴とするクライアント・サーバシステム。
【請求項４】
請求項１に記載のクライアント・サーバシステムであって、
前記クライアント機器のコメント画面作成情報生成手段は、表示手段に表示された前記コンテンツデータのページ番号、および表示された該ページにおける前記コメント領域の形状情報、並びに前記コメント領域の位置情報に基づいて、前記コメント領域に対応した前記コンテンツデータの精細画像を取得し、
前記サーバ機器のコメント画面情報作成手段は、前記コメント画面作成情報に含まれる前記コンテンツデータの作品ID、前記コンテンツデータのページ番号を前記コメント領域に対応した前記コンテンツデータの精細画像に付与することにより、該コンテンツデータの精細画像をコメント画像とすること、
を特徴とするクライアント・サーバシステム。
【請求項５】
請求項１に記載のクライアント・サーバシステムであって、
前記クライアント機器のコメント文入力手段は、前記コメント文についてコメント属性を設定するコメント文属性設定手段を備えており、
前記コメント画面作成情報生成手段は、前記コメント文に設定されたコメント属性を取得し、前記サーバ機器のコメント画面情報作成手段は、前記コメント画面作成情報に含まれる前記コメント文に設定されたコメント属性に基づいて、前記コメント画面情報を前記コメント属性ごとに分類して前記クライアント機器の表示手段で表示可能とすること、
を特徴とするクライアント・サーバシステム。
【請求項６】
複数のコンテンツデータを格納したデータベースを備えたサーバ機器に対してネットワークを介して通信可能に接続され、所望する前記コンテンツデータの送信を要求し、送信された該コンテンツデータを表示する表示手段を有するクライアント機器であって、
前記表示手段に表示されたコンテンツデータに対してコメント領域を指定するコメント領域指定手段と、
コメント文を入力するコメント文入力手段と、
前記コメント領域、および該コメント領域を指定した前記コンテンツデータに付与された作品ID、前記コメント領域を指定したページ番号、並びに前記コメント文に基づいてコメント画面作成情報を生成するコメント画面作成情報生成手段と、
前記サーバ機器において前記コンテンツデータに関わるコメント画面情報を作成するため、前記コメント画面作成情報を該サーバ機器へ送信するコメント画面作成情報送信手段と、
を有することを特徴とするクライアント機器。
【請求項７】
請求項６に記載のクライアント機器であって、
前記コメント画面作成情報生成手段は、前記表示手段に表示された前記コンテンツデータのページ番号、前記コメント領域指定手段によって指定されたページにおける前記コメント領域の位置情報、および該コメント領域の形状情報を取得すること、
を特徴とするクライアント機器。
【請求項８】
請求項６に記載のクライアント機器であって、
前記コメント画面作成情報生成手段は、前記コメント領域に含まれる前記コンテンツデータの表示画像を取得すること、
を特徴とするクライアント機器。
【請求項９】
請求項６に記載のクライアント機器であって、
前記コメント画面作成情報生成手段は、表示手段に表示された前記コンテンツデータのページ番号、および表示された該ページにおける前記コメント領域の形状情報、並びに前記コメント領域の位置情報に基づいて、前記コメント領域に対応した前記コンテンツデータの精細画像を取得すること、
を特徴とするクライアント機器。
【請求項１０】
請求項６に記載のクライアント機器であって、
前記コメント文入力手段は、前記コメント文についてコメント属性を設定するコメント文属性設定手段を備えており、
前記コメント画面作成情報生成手段は、前記コメント文に設定されたコメント属性を取得すること、
を特徴とするクライアント機器。
【請求項１１】
ネットワークを介して通信可能に接続されたクライアント機器の要求に対応して送信するコンテンツデータを複数格納したデータベースを備えたサーバ機器であって、
前記クライアント機器から送信されるコメント領域、および該コメント領域を指定した前記コンテンツデータに付与された作品ID、前記コメント領域を指定したページ番号、並びに前記コメント文に基づいて生成されたコメント画面作成情報を受信するコメント画面作成情報受信手段と、
前記コメント画面作成情報に基づいて、前記コメント領域内の画像をコメント画像とし、前記コメント文と組み合わせることにより、前記クライアント機器の表示手段で表示するための前記コンテンツデータに関わるコメント画面情報を作成するコメント画面情報作成手段と、
を有することを特徴とするサーバ機器。
【請求項１２】
請求項１１に記載のサーバ機器であって、
前記クライアント機器から送信されるコメント画面作成情報が、前記コンテンツデータのページ番号、前記コメント領域指定手段によって指定されたページにおける前記コメント領域の位置情報、および該コメント領域の形状情報を有しており、
前記コメント画面情報作成手段は、前記コメント画面作成情報に含まれる前記コンテンツデータの作品IDを参照して前記データベースよりコンテンツデータを抽出し、前記コンテンツデータのページ番号、該ページにおける前記コメント領域の位置情報および前記コメント領域の形状情報に基づいて前記コンテンツデータから前記コメント画像を抽出すること、
を特徴とするサーバ機器。
【請求項１３】
請求項１１に記載のサーバ機器であって、
前記クライアント機器から送信されるコメント画面作成情報が、前記コメント領域に含まれる前記コンテンツデータの表示画像を有しており、
前記コメント画面情報作成手段は、前記コメント画面作成情報に含まれる前記コンテンツデータの作品ID、前記コンテンツデータのページ番号を前記コメント領域に含まれる前記コンテンツデータの表示画像に付与することにより、該コンテンツデータの表示画像をコメント画像とすること、
を特徴とするサーバ機器。
【請求項１４】
請求項６に記載のクライアント機器であって、
前記クライアント機器から送信されるコメント画面作成情報生成手段が、表示手段に表示された前記コンテンツデータのページ番号、および表示された該ページにおける前記コメント領域の形状情報、並びに前記コメント領域の位置情報に基づいて、前記コメント領域に対応した前記コンテンツデータの精細画像を有しており、
前記コメント画面情報作成手段は、前記コメント画面作成情報に含まれる前記コンテンツデータの作品ID、前記コンテンツデータのページ番号を前記コメント領域に対応した前記コンテンツデータの精細画像に付与することにより、該コンテンツデータの精細画像をコメント画像とすること、
を特徴とするサーバ機器。
【請求項１５】
請求項１１に記載のサーバ機器であって、
前記クライアント機器から送信されるコメント画面作成情報が、前記コメント文に設定されたコメント属性を有しており、
前記コメント画面情報作成手段は、前記コメント画面作成情報に含まれる前記コメント文に設定されたコメント属性に基づいて、前記コメント画面を前記コメント属性ごとに分類して前記クライアント機器の表示手段で表示可能とすること、
を特徴とするサーバ機器。
【請求項１６】
複数のコンテンツデータを格納したデータベースを備え、ネットワークを介して通信可能に接続されたクライアント機器の要求に対応して前記コンテンツデータを送信するサーバ機器と、前記サーバ機器に対して所望するコンテンツデータの送信を要求し、送信された該コンテンツデータを表示する表示手段を有するクライアント機器と、を備えたクライアント・サーバシステムにおけるコメント画面作成方法であって、
前記クライアント機器において、
前記表示手段に表示されたコンテンツデータに対してコメント領域を指定するコメント領域指定工程と、
コメント文を入力するコメント文入力工程と、
前記コメント領域、および該コメント領域を指定した前記コンテンツデータに付与された作品ID、前記コメント領域を指定したページ番号、並びに前記コメント文に基づいてコメント画面作成情報を生成するコメント画面作成情報生成工程と、
前記コメント画面作成情報を前記サーバ機器へ送信するコメント画面作成情報送信工程と、
を実行し、
前記サーバ機器において、
前記コメント画面作成情報を受信するコメント画面作成情報受信工程と、
前記コメント画面作成情報に基づいて、前記コメント領域内の画像をコメント画像とし、前記コメント文と組み合わせることにより、前記クライアント機器の表示手段で表示するための前記コンテンツデータに関わるコメント画面情報を作成するコメント画面情報作成工程と、
を実行することを特徴とするクライアント・サーバシステムにおけるコメント画面作成方法。
【請求項１７】
CPUとメモリと表示手段と入力手段とを備えたコンピュータを、複数のコンテンツデータを格納したデータベースを備えたサーバ機器に対してネットワークを介して通信可能に接続され、所望する前記コンテンツデータの送信を要求し、送信された該コンテンツデータを表示するクライアント機器として実現するためのプログラムであって、
前記表示手段に表示されたコンテンツデータに対して前記入力手段によってコメント領域を指定するコメント領域指定ステップと、
前記入力手段によってコメント文を入力するコメント文入力ステップと、
前記コメント領域、および該コメント領域を指定した前記コンテンツデータに付与された作品ID、前記コメント領域を指定したページ番号、並びに前記コメント文に基づいてコメント画面作成情報を生成するコメント画面作成情報生成ステップと、
前記サーバ機器において前記コンテンツデータに関わるコメント画面情報を作成するため、前記コメント画面作成情報を該サーバ機器へ送信するコメント画面作成情報送信ステップと、
が前記CPUによって前記メモリにおいて実行されることを特徴とするプログラム。
【請求項１８】
請求項１７に記載のプログラムであって、
前記コメント画面作成情報生成ステップは、前記表示手段に表示された前記コンテンツデータのページ番号、前記コメント領域指定手段によって指定されたページにおける前記コメント領域の位置情報、および該コメント領域の形状情報を取得すること、
を特徴とするプログラム。
【請求項１９】
請求項１７に記載のプログラムであって、
前記コメント画面作成情報生成ステップは、前記コメント領域に含まれる前記コンテンツデータの表示画像を取得すること、
を特徴とするプログラム。
【請求項２０】
請求項１７に記載のプログラムであって、
前記コメント画面作成情報生成ステップは、表示手段に表示された前記コンテンツデータのページ番号、および表示された該ページにおける前記コメント領域の形状情報、並びに前記コメント領域の位置情報に基づいて、前記コメント領域に対応した前記コンテンツデータの精細画像を取得すること、
を特徴とするプログラム。
【請求項２１】
請求項１７に記載のプログラムであって、
前記コメント文入力ステップは、前記コメント文についてコメント属性を設定するコメント文属性設定ステップを備えており、
前記コメント画面情報生成ステップは、前記コメント文に設定されたコメント属性を取得すること、
を特徴とするプログラム。
【請求項２２】
CPUとメモリと記憶手段を備えたコンピュータを、ネットワークを介して通信可能に接続されたクライアント機器の要求に対応するサーバ機器として実現するためのプログラムであって、
前記記憶手段を、前記クライアント機器の要求に対応して送信するコンテンツデータを複数格納するデータベースとするコンテンツデータベース処理ステップと、
前記クライアント機器から送信されるコメント領域、および該コメント領域を指定した前記コンテンツデータに付与された作品ID、前記コメント領域を指定したページ番号、並びに前記コメント文に基づいて生成されたコメント画面作成情報を受信するコメント画面作成情報受信ステップと、
前記コメント画面作成情報に基づいて、前記コメント領域内の画像をコメント画像とし、前記コメント文と組み合わせることにより、前記クライアント機器の表示手段で表示するための前記コンテンツデータに関わるコメント画面情報を作成するコメント画面情報作成ステップと、
が前記CPUによって前記メモリにおいて実行されることを特徴とするプログラム。
【請求項２３】
請求項２２に記載のプログラムであって、
前記クライアント機器から送信されるコメント画面作成情報が、前記コンテンツデータのページ番号、前記コメント領域指定手段によって指定されたページにおける前記コメント領域の位置情報、および該コメント領域の形状情報を有しており、
前記コメント画面情報作成ステップは、前記コメント画面作成情報に含まれる前記コンテンツデータの作品IDを参照して前記データベースよりコンテンツデータを抽出し、前記コンテンツデータのページ番号、該ページにおける前記コメント領域の位置情報および前記コメント領域の形状情報に基づいて前記コンテンツデータから前記コメント画像を抽出すること、
を特徴とするプログラム。
【請求項２４】
請求項２２に記載のプログラムであって、
前記クライアント機器から送信されるコメント画面作成情報が、前記コメント領域に含まれる前記コンテンツデータの表示画像を有しており、
前記コメント画面情報作成ステップは、前記コメント画面作成情報に含まれる前記コンテンツデータの作品ID、前記コンテンツデータのページ番号を前記コメント領域に含まれる前記コンテンツデータの表示画像に付与することにより、該コンテンツデータの表示画像をコメント画像とすること、
を特徴とするプログラム。
【請求項２５】
請求項２２に記載のプログラムであって、
前記クライアント機器から送信されるコメント画面作成情報生成手段が、表示手段に表示された前記コンテンツデータのページ番号、および表示された該ページにおける前記コメント領域の形状情報、並びに前記コメント領域の位置情報に基づいて、前記コメント領域に対応した前記コンテンツデータの精細画像を有しており、
前記コメント画面情報作成ステップは、前記コメント画面作成情報に含まれる前記コンテンツデータの作品ID、前記コンテンツデータのページ番号を前記コメント領域に対応した前記コンテンツデータの精細画像に付与することにより、該コンテンツデータの精細をコメント画像とすること、
を特徴とするプログラム。
【請求項２６】
請求項２２に記載のプログラムであって、
前記クライアント機器から送信されるコメント画面作成情報が、前記コメント文に設定されたコメント属性を有しており、
前記コメント画面情報作成ステップは、前記コメント画面作成情報に含まれる前記コメント文に設定されたコメント属性に基づいて、前記コメント画面を前記コメント属性ごとに分類して前記クライアント機器の表示手段で表示可能とすること、
を特徴とするプログラム。
【発明の詳細な説明】
【技術分野】
【０００１】
ネットワークを利用して通信可能に接続されたクライアント機器とサーバ機器とからなるクライアント・サーバシステム、クライアント機器、サーバ機器、並びにクライアント・サーバシステムにおけるコメント画面作成方法、およびクライアント機器のプログラム、サーバ機器のプログラムに関する。
【背景技術】
【０００２】
インターネット技術の発展と、携帯電話やタブレットPC等の可搬電子端末の普及により、従来は紙媒体によって供給されていたマンガが電子データ化され、ネットワークを介して供給されることが普及しつつある。
電子データ化されたマンガを提供するサービスは、これまでマンガ雑誌を発行してきた出版社が直接行うだけではなく、ポータルサイトによるサービス、あるいは同人マンガなどを掲載するための投稿サイトや個人サイトによるサービスなど、多岐に渡っている。
このような状況では、"隠れた名作マンガ"を読者が自力で探し出すことは極めて困難である。
【０００３】
商業誌に掲載されているマンガが電子化された場合には、もともとのマンガについて様々な形式で書評が存在するので、読者はその評価を参照して面白い作品を閲覧することができる。それに対して、投稿サイトや個人サイトにより提供される電子化されたマンガの場合、一般的にメジャーとは言えないため書評が存在しないので、面白い作品を探し出すことが難しい。
そこで、読者は自分が好みそうなジャンルの作品をネットサーフィンで探すだけでなく、検索サイトを利用したり、ブログやツイッター（登録商標）などのマンガに関する記事を参照したり、あるいは電子掲示板において自分好みの作品を探していることを掲示するなどして、面白いマンガを探し出していた。
【０００４】
ところで、マンガの場合、ストーリーもさることながら、作者の画風や作品の絵柄、描写の詳細なども読者にとって評価の対象となる。従って、読者はテキストによるストーリーの評価のみならず、マンガにおいて表現されている絵柄についても評価を知りたいという要望があり、マンガに対して直接的にコメントを行なう技術が提案されている。
【先行技術文献】
【特許文献】
【０００５】
【特許文献１】特開２０１０ー１６５３１０
【非特許文献】
【０００６】
【非特許文献１】http://www.poco2.jp/about/
【発明の概要】
【発明が解決しようとする課題】
【０００７】
上記特許文献１に記載された発明は、マンガ画像のコマ、あるいはコマの一部を端末の表示装置に表示し、表示されたコマに対してコメントを入力することにより、画面に表示されたマンガにおいてコメント文が表示されることを特徴としている。
【０００８】
また、上記非特許文献１に示したURLは、マンガに対して種々の形状のフキダシ形式のコメント、あるいはハートマークを設定することにより、マンガ表示時に設定されたフキダシに収められたコメント、あるいはハートマークをあわせて表示するwebサイトについて開示している。
【０００９】
特許文献１に記載された発明、および非特許文献１に示したURLのwebサイトにて開示された技術は、端末画面に表示されたマンガにおいて直接的なコメントを表示することにより、そのマンガについての面白さをコメントしたり、あるいはマンガのとあるコマについて出来不出来をコメントすることが可能である。
【００１０】
しかし、コメントを読むためにはそのマンガを表示しなければならないので、マンガに対して行なわれたコメントに基づいて面白い作品を検索するという課題を解決する技術については示唆されていない。
【００１１】
そこで、本発明は読者が面白い作品を探すために有用なコメント画面を作成するサービスを実現するためのクライアント機器およびサーバ機器からなる、クライアント・サーバシステムを提供することを目的とする。
【課題を解決するための手段】
【００１２】
かかる課題を解決する為に、請求項１に記載した発明は、複数のコンテンツデータを格納したデータベースを備え、ネットワークを介して通信可能に接続されたクライアント機器の要求に対応して前記コンテンツデータを送信するサーバ機器と、前記サーバ機器に対して所望するコンテンツデータの送信を要求し、送信された該コンテンツデータを表示する表示手段を有するクライアント機器と、を備えたクライアント・サーバシステムであって、前記クライアント機器が、前記表示手段に表示されたコンテンツデータに対してコメント領域を指定するコメント領域指定手段と、コメント文を入力するコメント文入力手段と、前記コメント領域、および該コメント領域を指定した前記コンテンツデータに付与された作品ID、前記コメント領域を指定したページ番号、並びに前記コメント文に基づいてコメント画面作成情報を生成するコメント画面作成情報生成手段と、前記コメント画面作成情報を前記サーバ機器へ送信するコメント画面作成情報送信手段と、を有し、前記サーバ機器が、前記コメント画面作成情報を受信するコメント画面作成情報受信手段と、前記コメント画面作成情報に基づいて、前記コメント領域内の画像をコメント画像とし、前記コメント文と組み合わせることにより、前記クライアント機器の表示手段で表示するための前記コンテンツデータに関わるコメント画面情報を作成するコメント画面情報作成手段と、を有することを特徴としている。
【００１３】
また、請求項２に記載した発明は、請求項１に記載のクライアント・サーバシステムであって、前記クライアント機器のコメント画面作成情報生成手段は、前記表示手段に表示された前記コンテンツデータのページ番号、前記コメント領域指定手段によって指定されたページにおける前記コメント領域の位置情報、および該コメント領域の形状情報を取得し、前記サーバ機器のコメント画面情報作成手段は、前記コメント画面作成情報に含まれる前記コンテンツデータの作品IDを参照して前記データベースよりコンテンツデータを抽出し、前記コンテンツデータのページ番号、該ページにおける前記コメント領域の位置情報および前記コメント領域の形状情報に基づいて前記コンテンツデータから前記コメント画像を抽出すること、を特徴としている。
【００１４】
さらに、請求項３に記載した発明は、請求項１に記載のクライアント・サーバシステムであって、前記クライアント機器のコメント画面作成情報生成手段は、前記コメント領域に含まれる前記コンテンツデータの表示画像を取得し、前記サーバ機器のコメント画面情報作成手段は、前記コメント画面作成情報に含まれる前記コンテンツデータの作品ID、前記コンテンツデータのページ番号を前記コメント領域に含まれる前記コンテンツデータの表示画像に付与することにより、該コンテンツデータの表示画像をコメント画像とすること、を特徴としている。
【００１５】
また、請求項４に記載した発明は、請求項１に記載のクライアント・サーバシステムであって、前記クライアント機器のコメント画面作成情報生成手段は、表示手段に表示された前記コンテンツデータのページ番号、および表示された該ページにおける前記コメント領域の形状情報、並びに前記コメント領域の位置情報に基づいて、前記コメント領域に対応した前記コンテンツデータの精細画像を取得し、前記サーバ機器のコメント画面情報作成手段は、前記コメント画面作成情報に含まれる前記コンテンツデータの作品ID、前記コンテンツデータのページ番号を前記コメント領域に対応した前記コンテンツデータの精細画像に付与することにより、該コンテンツデータの精細画像をコメント画像とすること、を特徴としている。
【００１６】
さらに、請求項５に記載した発明は、請求項１に記載のクライアント・サーバシステムであって、前記クライアント機器のコメント文入力手段は、前記コメント文についてコメント属性を設定するコメント文属性設定手段を備えており、前記コメント画面作成情報生成手段は、前記コメント文に設定されたコメント属性を取得し、前記サーバ機器のコメント画面情報作成手段は、前記コメント画面作成情報に含まれる前記コメント文に設定されたコメント属性に基づいて、前記コメント画面情報を前記コメント属性ごとに分類して前記クライアント機器の表示手段で表示可能とすること、を特徴としている。
【００１７】
請求項６に記載した発明は、複数のコンテンツデータを格納したデータベースを備えたサーバ機器に対してネットワークを介して通信可能に接続され、所望する前記コンテンツデータの送信を要求し、送信された該コンテンツデータを表示する表示手段を有するクライアント機器であって、前記表示手段に表示されたコンテンツデータに対してコメント領域を指定するコメント領域指定手段と、コメント文を入力するコメント文入力手段と、前記コメント領域、および該コメント領域を指定した前記コンテンツデータに付与された作品ID、前記コメント領域を指定したページ番号、並びに前記コメント文に基づいてコメント画面作成情報を生成するコメント画面作成情報生成手段と、前記サーバ機器において前記コンテンツデータに関わるコメント画面情報を作成するため、前記コメント画面作成情報を該サーバ機器へ送信するコメント画面作成情報送信手段と、を有することを特徴としている。
【００１８】
また、請求項７に記載した発明は、請求項６に記載のクライアント機器であって、前記コメント画面作成情報生成手段は、前記表示手段に表示された前記コンテンツデータのページ番号、前記コメント領域指定手段によって指定されたページにおける前記コメント領域の位置情報、および該コメント領域の形状情報を取得すること、を特徴としている。
【００１９】
さらに、請求項８に記載した発明は、請求項６に記載のクライアント機器であって、前記コメント画面作成情報生成手段は、前記コメント領域に含まれる前記コンテンツデータの表示画像を取得すること、を特徴としている。
【００２０】
また、請求項９に記載した発明は、請求項６に記載のクライアント機器であって、前記コメント画面作成情報生成手段は、表示手段に表示された前記コンテンツデータのページ番号、および表示された該ページにおける前記コメント領域の形状情報、並びに前記コメント領域の位置情報に基づいて、前記コメント領域に対応した前記コンテンツデータの精細画像を取得すること、を特徴としている。
【００２１】
さらに、請求項１０に記載した発明は、請求項６に記載のクライアント機器であって、前記コメント文入力手段は、前記コメント文についてコメント属性を設定するコメント文属性設定手段を備えており、前記コメント画面作成情報生成手段は、前記コメント文に設定されたコメント属性を取得すること、を特徴としている。
【００２２】
請求項１１に記載した発明は、ネットワークを介して通信可能に接続されたクライアント機器の要求に対応して送信するコンテンツデータを複数格納したデータベースを備えたサーバ機器であって、前記クライアント機器から送信されるコメント領域、および該コメント領域を指定した前記コンテンツデータに付与された作品ID、前記コメント領域を指定したページ番号、並びに前記コメント文に基づいて生成されたコメント画面作成情報を受信するコメント画面作成情報受信手段と、前記コメント画面作成情報に基づいて、前記コメント領域内の画像をコメント画像とし、前記コメント文と組み合わせることにより、前記クライアント機器の表示手段で表示するための前記コンテンツデータに関わるコメント画面情報を作成するコメント画面情報作成手段と、を有することを特徴としている。
【００２３】
また、請求項１２に記載した発明は、請求項１１に記載のサーバ機器であって、前記クライアント機器から送信されるコメント画面作成情報が、前記コンテンツデータのページ番号、前記コメント領域指定手段によって指定されたページにおける前記コメント領域の位置情報、および該コメント領域の形状情報を有しており、前記コメント画面情報作成手段は、前記コメント画面作成情報に含まれる前記コンテンツデータの作品IDを参照して前記データベースよりコンテンツデータを抽出し、前記コンテンツデータのページ番号、該ページにおける前記コメント領域の位置情報および前記コメント領域の形状情報に基づいて前記コンテンツデータから前記コメント画像を抽出すること、を特徴としている。
【００２４】
さらに、請求項１３に記載した発明は、請求項１１に記載のサーバ機器であって、前記クライアント機器から送信されるコメント画面作成情報が、前記コメント領域に含まれる前記コンテンツデータの表示画像を有しており、前記コメント画面情報作成手段は、前記コメント画面作成情報に含まれる前記コンテンツデータの作品ID、前記コンテンツデータのページ番号を前記コメント領域に含まれる前記コンテンツデータの表示画像に付与することにより、該コンテンツデータの表示画像をコメント画像とすること、を特徴としている。
【００２５】
また、請求項１４に記載した発明は、請求項１１に記載のサーバ機器であって、前記クライアント機器から送信されるコメント画面作成情報生成手段が、表示手段に表示された前記コンテンツデータのページ番号、および表示された該ページにおける前記コメント領域の形状情報、並びに前記コメント領域の位置情報に基づいて、前記コメント領域に対応した前記コンテンツデータの精細画像を有しており、前記コメント画面情報作成手段は、前記コメント画面作成情報に含まれる前記コンテンツデータの作品ID、前記コンテンツデータのページ番号を前記コメント領域に対応した前記コンテンツデータの精細画像に付与することにより、該コンテンツデータの精細画像をコメント画像とすること、を特徴としている。
【００２６】
さらに、請求項１５に記載した発明は、請求項１１に記載のサーバ機器であって、前記クライアント機器から送信されるコメント画面作成情報が、前記コメント文に設定されたコメント属性を有しており、前記コメント画面情報作成手段は、前記コメント画面作成情報に含まれる前記コメント文に設定されたコメント属性に基づいて、前記コメント画面を前記コメント属性ごとに分類して前記クライアント機器の表示手段で表示可能とすること、を特徴としている。
【００２７】
請求項１６に記載した発明は、複数のコンテンツデータを格納したデータベースを備え、ネットワークを介して通信可能に接続されたクライアント機器の要求に対応して前記コンテンツデータを送信するサーバ機器と、前記サーバ機器に対して所望するコンテンツデータの送信を要求し、送信された該コンテンツデータを表示する表示手段を有するクライアント機器と、を備えたクライアント・サーバシステムにおけるコメント画面作成方法であって、前記クライアント機器において、前記表示手段に表示されたコンテンツデータに対してコメント領域を指定するコメント領域指定工程と、コメント文を入力するコメント文入力工程と、前記コメント領域、および該コメント領域を指定した前記コンテンツデータに付与された作品ID、前記コメント領域を指定したページ番号、並びに前記コメント文に基づいてコメント画面作成情報を生成するコメント画面作成情報生成工程と、前記コメント画面作成情報を前記サーバ機器へ送信するコメント画面作成情報送信工程と、を実行し、前記サーバ機器において、前記コメント画面作成情報を受信するコメント画面作成情報受信工程と、前記コメント画面作成情報に基づいて、前記コメント領域内の画像をコメント画像とし、前記コメント文と組み合わせることにより、前記クライアント機器の表示手段で表示するための前記コンテンツデータに関わるコメント画面情報を作成するコメント画面情報作成工程と、を実行することを特徴としている。
【００２８】
請求項１７に記載した発明は、CPUとメモリと表示手段と入力手段とを備えたコンピュータを、複数のコンテンツデータを格納したデータベースを備えたサーバ機器に対してネットワークを介して通信可能に接続され、所望する前記コンテンツデータの送信を要求し、送信された該コンテンツデータを表示するクライアント機器として実現するためのプログラムであって、前記表示手段に表示されたコンテンツデータに対して前記入力手段によってコメント領域を指定するコメント領域指定ステップと、前記入力手段によってコメント文を入力するコメント文入力ステップと、前記コメント領域、および該コメント領域を指定した前記コンテンツデータに付与された作品ID、前記コメント領域を指定したページ番号、並びに前記コメント文に基づいてコメント画面作成情報を生成するコメント画面作成情報生成ステップと、前記サーバ機器において前記コンテンツデータに関わるコメント画面情報を作成するため、前記コメント画面作成情報を該サーバ機器へ送信するコメント画面作成情報送信ステップと、が前記CPUによって前記メモリにおいて実行されることを特徴としている。
【００２９】
また、請求項１８に記載した発明は、請求項１７に記載のプログラムであって、前記コメント画面作成情報生成ステップは、前記表示手段に表示された前記コンテンツデータのページ番号、前記コメント領域指定手段によって指定されたページにおける前記コメント領域の位置情報、および該コメント領域の形状情報を取得すること、を特徴としている。
【００３０】
さらに、請求項１９に記載した発明は、請求項１７に記載のプログラムであって、前記コメント画面作成情報生成ステップは、前記コメント領域に含まれる前記コンテンツデータの表示画像を取得すること、を特徴としている。
【００３１】
また、請求項２０に記載した発明は、請求項１７に記載のプログラムであって、前記コメント画面作成情報生成ステップは、表示手段に表示された前記コンテンツデータのページ番号、および表示された該ページにおける前記コメント領域の形状情報、並びに前記コメント領域の位置情報に基づいて、前記コメント領域に対応した前記コンテンツデータの精細画像を取得すること、を特徴としている。
【００３２】
さらに、請求項２１に記載した発明は、請求項１７に記載のプログラムであって、前記コメント文入力ステップは、前記コメント文についてコメント属性を設定するコメント文属性設定ステップを備えており、前記コメント画面情報生成ステップは、前記コメント文に設定されたコメント属性を取得すること、を特徴としている。
【００３３】
請求項２２に記載した発明は、CPUとメモリと記憶手段を備えたコンピュータを、ネットワークを介して通信可能に接続されたクライアント機器の要求に対応するサーバ機器として実現するためのプログラムであって、前記記憶手段を、前記クライアント機器の要求に対応して送信するコンテンツデータを複数格納するデータベースとするコンテンツデータベース処理ステップと、前記クライアント機器から送信されるコメント領域、および該コメント領域を指定した前記コンテンツデータに付与された作品ID、前記コメント領域を指定したページ番号、並びに前記コメント文に基づいて生成されたコメント画面作成情報を受信するコメント画面作成情報受信ステップと、前記コメント画面作成情報に基づいて、前記コメント領域内の画像をコメント画像とし、前記コメント文と組み合わせることにより、前記クライアント機器の表示手段で表示するための前記コンテンツデータに関わるコメント画面情報を作成するコメント画面情報作成ステップと、が前記CPUによって前記メモリにおいて実行されることを特徴としている。
【００３４】
また、請求項２３に記載した発明は、請求項２２に記載のプログラムであって、前記クライアント機器から送信されるコメント画面作成情報が、前記コンテンツデータのページ番号、前記コメント領域指定手段によって指定されたページにおける前記コメント領域の位置情報、および該コメント領域の形状情報を有しており、前記コメント画面情報作成ステップは、前記コメント画面作成情報に含まれる前記コンテンツデータの作品IDを参照して前記データベースよりコンテンツデータを抽出し、前記コンテンツデータのページ番号、該ページにおける前記コメント領域の位置情報および前記コメント領域の形状情報に基づいて前記コンテンツデータから前記コメント画像を抽出すること、を特徴としている。
【００３５】
さらに、請求項２４に記載した発明は、請求項２２に記載のプログラムであって、前記クライアント機器から送信されるコメント画面作成情報が、前記コメント領域に含まれる前記コンテンツデータの表示画像を有しており、前記コメント画面情報作成ステップは、前記コメント画面作成情報に含まれる前記コンテンツデータの作品ID、前記コンテンツデータのページ番号を前記コメント領域に含まれる前記コンテンツデータの表示画像に付与することにより、該コンテンツデータの表示画像をコメント画像とすること、を特徴としている。
【００３６】
また、請求項２５に記載した発明は、請求項２２に記載のプログラムであって、前記クライアント機器から送信されるコメント画面作成情報生成手段が、表示手段に表示された前記コンテンツデータのページ番号、および表示された該ページにおける前記コメント領域の形状情報、並びに前記コメント領域の位置情報に基づいて、前記コメント領域に対応した前記コンテンツデータの精細画像を有しており、前記コメント画面情報作成ステップは、前記コメント画面作成情報に含まれる前記コンテンツデータの作品ID、前記コンテンツデータのページ番号を前記コメント領域に対応した前記コンテンツデータの精細画像に付与することにより、該コンテンツデータの精細画像をコメント画像とすること、を特徴としている。
【００３７】
さらに、請求項２６に記載した発明は、請求項２２に記載のプログラムであって、前記クライアント機器から送信されるコメント画面作成情報が、前記コメント文に設定されたコメント属性を有しており、前記コメント画面情報作成ステップは、前記コメント画面作成情報に含まれる前記コメント文に設定されたコメント属性に基づいて、前記コメント画面を前記コメント属性ごとに分類して前記クライアント機器の表示手段で表示可能とすること、を特徴としている。
【発明の効果】
【００３８】
請求項１に記載のクライアント・サーバシステム、請求項１６に記載のクライアント・サーバシステムにおけるコメント画面作成方法では、クライアント機器において表示されたコンテンツデータに対してコメント領域を指定し、コメント文を入力することにより、コンテンツデータを特定するための作品ID、コメント領域を指定したページ番号、コメント領域、コメント文に基づいて、クライアント機器がコメント画面作成情報を生成してサーバ機器へ送信し、サーバ機器は送信されたコメント画面作成情報に基づいてコメント領域内の画像をコメント画像としてコメント文と組み合わせることでクライアント機器において表示可能なコメント画面情報を作成する。
【００３９】
これにより、クライアント機器のユーザが、読んでいて気に入ったマンガの画面の一部を引用してコメントをつけてサーバ機器に送信すると、サーバ機器がクライアント機器において閲覧可能なマンガの画面の一部とコメント文とを組み合わせたコメント画面を作成するので、クライアント機器の別のユーザがコメント文を含むコメント画面を参照することができるため、マンガに対する感想のみならず、マンガの絵も参照して自分が所望するマンガを探すことが可能となる。
【００４０】
すなわち、マンガを紹介する従来の書評においても、該マンガの単行本の表紙を引用したり、所定のコマを引用したりするなど行っていたのでマンガの絵について参照する意図がなかったわけではないが、それはあくまでも"このような絵が描かれている"マンガを紹介するという主旨に留まっていた。
【００４１】
それに対して、本発明では、マンガの一部をコメント画像として、例えば「武器の考証が正確である」、「筋肉の表現が生き生きとしている」、「女の子が艶めかしい」などコメント画像に則した具体的なコメントをつけることができるので、マンガを紹介する方は紹介の根拠をコメント画像とコメント文によって明確に伝えることができ、マンガを検索する方は具体的なコメント画像とコメント文を参照することで自分好みの作品を探すことが容易となる。
【００４２】
請求項２に記載のクライアント・サーバシステムでは、クライアント機器において指定したコメント領域のページにおける位置情報およびコメント領域の形状情報をコメント画面作成情報が有しているので、サーバ機器は該コメント画面作成情報に基づいてコメント領域が指定されたコンテンツデータを検索し、該作品におけるコメント領域が指定されたページから、コメント領域の位置情報および形状情報を参照してコメント画像を抽出することにより、クライアント機器が画像データの複製や画像データの転送など、俗に「重い」とされる処理を行なうことなく、サーバ機器においてコメント画面情報の作成を行なうことができる。
【００４３】
請求項３に記載のクライアント・サーバシステムでは、クライアント機器において指定したコメント領域に含まれるコンテンツデータの表示画像をコメント画面作成情報が有しているので、サーバ機器は該コメント領域画面作成情報に基づいてコンテンツデータの表示画像に該コンテンツデータを検索するための情報を付与することにより、コメント画面情報の作成においてサーバ機器における画像処理を低減するとともに、クライアント機器における処理も必要最低限のもので済ませることができる。
【００４４】
請求項４に記載のクライアント・サーバシステムでは、クライアント機器において指定したコメント領域に対応したコンテンツの精細画像をコメント画面作成情報が有しているので、サーバ機器は該コメント領域画面作成情報に基づいてコンテンツデータの精細画像に該コンテンツデータを検索するための情報を付与することにより、コメント画面情報の作成においてサーバ機器における画像処理を低減するとともに、比較的精細なコメント画像をコメント画面に使用することができる。
【００４５】
請求項５に記載のクライアント・サーバシステムは、クライアント機器において設定したコメント文のコメント属性に基づき、サーバ機器がコメント画面情報をコメント文のコメント属性毎に分類してクライアント機器において表示可能とするので、マンガを検索する方はコメント属性を参考にコメント文を検索して自分好みの作品を探すことができる。
【００４６】
請求項６に記載のクライアント機器は、表示したコンテンツデータに対してコメント領域を指定し、コメント文を入力することにより、コンテンツデータを特定するための作品ID、コメント領域を指定したページ番号、コメント領域、コメント文に基づいて、コメント画面作成情報を生成してサーバ機器へ送信する。
【００４７】
サーバ機器が、送信されたコメント画面作成情報に基づいてコメント領域内の画像をコメント画像としてコメント文と組み合わせることでクライアント機器において表示可能なコメント画面情報を作成するので、クライアント機器の別のユーザがコメント文を含むコメント画面を参照することができ、マンガに対する感想のみならず、マンガの絵も参照して自分が所望するマンガを探すことが可能となる。
【００４８】
請求項７に記載のクライアント機器は、指定したコメント領域のページにおける位置情報およびコメント領域の形状情報を有するコメント画面作成情報をサーバ機器に送信するので、画像データの複製や画像データの転送など、俗に「重い」とされる処理を行なわずに済む。
【００４９】
請求項８に記載のクライアント機器は、指定したコメント領域に含まれるコンテンツデータの表示画像を有するコメント画面作成情報をサーバ機器へ送信するので、コメント画面情報の作成においてサーバ機器における画像処理を低減するとともに、クライアント機器における処理も必要最低限のもので済ませることができる。
【００５０】
請求項９に記載のクライアント機器は、指定したコメント領域に対応したコンテンツの精細画像を有するコメント画面作成情報をサーバ機器へ送信するので、コメント画面情報の作成においてサーバ機器における画像処理を低減するとともに、比較的精細なコメント画像をコメント画面に使用することができる。
【００５１】
請求項１０に記載のクライアント機器は、コメント文にコメント属性を設定できるので、マンガを検索する方はコメント属性を参考にコメント文を検索して自分好みの作品を探すことができる。
【００５２】
請求項１１に記載のサーバ機器は、クライアント機器から送信されたコンテンツデータを特定するための作品ID、コメント領域を指定したページ番号、コメント領域、コメント文を有するコメント画面作成情報に基づいて、コメント領域内の画像をコメント画像としてコメント文と組み合わせることでクライアント機器において表示可能なコメント画面情報を作成することにより、クライアント機器の別のユーザがコメント文を含むコメント画面を参照することができるため、マンガに対する感想のみならず、マンガの絵も参照して自分が所望するマンガを探すことが可能となる。
【００５３】
請求項１２に記載のサーバ機器は、コメント領域のページにおける位置情報およびコメント領域の形状情報をコメント画面作成情報が有しているので、該コメント画面作成情報に基づいてコメント領域が指定されたコンテンツデータを検索し、該作品におけるコメント領域が指定されたページから、コメント領域の位置情報および形状情報を参照してコメント画像を抽出することにより、クライアント機器に画像データの複製や画像データの転送など、俗に「重い」とされる処理を行なわせることなく、コメント画面情報の作成を行なうことができる。
【００５４】
請求項１３に記載のサーバ機器は、コメント領域に含まれるコンテンツデータの表示画像をコメント画面作成情報が有しているので、該コメント領域画面作成情報に基づいてコンテンツデータの表示画像に該コンテンツデータを検索するための情報を付与することにより、コメント画面情報の作成に関わる画像処理を低減するとともに、クライアント機器における処理も必要最低限のもので済ませることができる。
【００５５】
請求項１４に記載のサーバ機器は、コメント領域に対応したコンテンツの精細画像をコメント画面作成情報が有しているので、該コメント領域画面作成情報に基づいてコンテンツデータの精細画像に該コンテンツデータを検索するための情報を付与することにより、コメント画面情報の作成に関わる画像処理を低減するとともに、比較的精細なコメント画像をコメント画面に使用することができる。
【００５６】
請求項１５に記載のサーバ機器は、クライアント機器において設定されたコメント文のコメント属性に基づき、コメント画面情報をコメント文のコメント属性毎に分類してクライアント機器において表示可能とするので、マンガを検索する方はコメント属性を参考にコメント文を検索して自分好みの作品を探すことができる。
【００５７】
請求項１７に記載のプログラムは、表示したコンテンツデータに対してコメント領域を指定し、コメント文を入力することにより、コンテンツデータを特定するための作品ID、コメント領域を指定したページ番号、コメント領域、コメント文に基づいて、コメント画面作成情報を生成してサーバ機器へ送信する動作をコンピュータによって実現することができる。
【００５８】
サーバ機器が、送信されたコメント画面作成情報に基づいてコメント領域内の画像をコメント画像としてコメント文と組み合わせることでクライアント機器において表示可能なコメント画面情報を作成するので、クライアント機器の別のユーザがコメント文を含むコメント画面を参照することができ、マンガに対する感想のみならず、マンガの絵も参照して自分が所望するマンガを探すことが可能となる。
【００５９】
請求項１８に記載のプログラムは、指定したコメント領域のページにおける位置情報およびコメント領域の形状情報を有するコメント画面作成情報をサーバ機器に送信するので、画像データの複製や画像データの転送など、俗に「重い」とされる処理をコンピュータに行なわせずに済む。
【００６０】
請求項１９に記載のプログラムは、指定したコメント領域に含まれるコンテンツデータの表示画像を有するコメント画面作成情報をサーバ機器へ送信するので、コメント画面情報の作成においてサーバ機器における画像処理を低減するとともに、コンピュータにおける処理も必要最低限のもので済ませることができる。
【００６１】
請求項２０に記載のプログラムは、指定したコメント領域に対応したコンテンツの精細画像を有するコメント画面作成情報をサーバ機器へ送信する動作をコンピュータで実行するので、コメント画面情報の作成においてサーバ機器における画像処理を低減するとともに、比較的精細なコメント画像をコメント画面に使用することができる。
【００６２】
請求項２１に記載のプログラムは、コメント文にコメント属性を設定する動作をコンピュータで実行するので、マンガを検索する方はコメント属性を参考にコメント文を検索して自分好みの作品を探すことができる。
【００６３】
請求項２２に記載のプログラムは、クライアント機器から送信されたコンテンツデータを特定するための作品ID、コメント領域を指定したページ番号、コメント領域、コメント文を有するコメント画面作成情報に基づいて、コメント領域内の画像をコメント画像としてコメント文と組み合わせることでクライアント機器において表示可能なコメント画面情報を作成する動作をコンピュータで実行するので、クライアント機器の別のユーザがコメント文を含むコメント画面を参照することができるため、マンガに対する感想のみならず、マンガの絵も参照して自分が所望するマンガを探すことが可能となる。
【００６４】
請求項２３に記載のプログラムは、コメント領域のページにおける位置情報およびコメント領域の形状情報をコメント画面作成情報が有しているので、該コメント画面作成情報に基づいてコメント領域が指定されたコンテンツデータを検索し、該作品におけるコメント領域が指定されたページから、コメント領域の位置情報および形状情報を参照してコメント画像を抽出する動作をコンピュータで実行することにより、クライアント機器に画像データの複製や画像データの転送など、俗に「重い」とされる処理を行なわせることなく、コメント画面情報の作成を行なうことができる。
【００６５】
請求項２４に記載のプログラムは、コメント領域に含まれるコンテンツデータの表示画像をコメント画面作成情報が有しているので、該コメント領域画面作成情報に基づいてコンテンツデータの表示画像に該コンテンツデータを検索するための情報を付与する動作をコンピュータで実行することにより、コメント画面情報の作成に関わる画像処理を低減するとともに、クライアント機器における処理も必要最低限のもので済ませることができる。
【００６６】
請求項２５に記載のプログラムは、コメント領域に対応したコンテンツの精細画像をコメント画面作成情報が有しているので、該コメント領域画面作成情報に基づいてコンテンツデータの精細画像に該コンテンツデータを検索するための情報を付与する動作をコンピュータで実行することにより、コメント画面情報の作成に関わる画像処理を低減するとともに、比較的精細なコメント画像をコメント画面に使用することができる。
【００６７】
請求項２６に記載のプログラムは、クライアント機器において設定されたコメント文のコメント属性に基づき、コメント画面情報をコメント文のコメント属性毎に分類してクライアント機器において表示可能とする動作をコンピュータで実行するので、マンガを検索する方はコメント属性を参考にコメント文を検索して自分好みの作品を探すことができる。
【図面の簡単な説明】
【００６８】
【図１】クライアント・サーバシステム１００の構成を説明するための図である。
【図２】クライアント機器１の構成を説明するための図である。
【図３】サーバ機器２の構成を説明するための図である。
【図４】クライアント・サーバシステム１００におけるクライアント機器１およびサーバ機器２の動作を説明するためのフローチャートである。
【図５】コンテンツデータCDの構成を説明するための図である。
【図６】クライアント機器１の動作におけるステップS4Cの詳細を説明するためのフローチャートである。
【図７】表示部１２に表示されたコンテンツデータCDに対してコメント領域指定部１７２によるコメント領域の指定に基づいて、コメント画面作成情報生成部１７４がコメント画面作成情報CJを生成することを説明するための図である。
【図８】サーバ機器２の動作におけるステップS3Sの詳細を説明するためのフローチャートである。
【図９】コメント画面情報CGを説明するための図である。
【図１０】表示部１２に表示されたコメント画面情報CGを説明するための図である。
【図１１】クライアント機器１の動作におけるステップS4Cの別詳細を説明するためのフローチャートである。
【図１２】コメント画面作成情報CJの別の例を示すための図である。
【図１３】サーバ機器２の動作におけるステップS3Sの別詳細を説明するためのフローチャートである。
【図１４】クライアント機器１の動作におけるステップS4Cのさらに別詳細を説明するためのフローチャートである。
【図１５】サーバ機器２の動作におけるステップS3Sのさらに別詳細を説明するためのフローチャートである。
【発明を実施するための形態】
【００６９】
以下、図面を利用しながら、本発明を実施形態について、説明を行なう。
【００７０】
〈第１の実施形態〉
【００７１】
図１は、本発明に係わるクライアント・サーバシステム１００の構成を説明するための図である。クライアント・サーバシステム１００は、クライアント機器１、サーバ機器２、およびクライアント機器１とサーバ機器２とを通信可能に接続するネットワークNから成り立っている。
【００７２】
クライアント機器１は、サーバ機器２からダウンロードしたコンテンツデータCDの表示、表示されたコンテンツデータCDにコメント領域を指定しコメント文を入力することによるコメント画面作成情報CJの生成およびサーバ機器２への送信、サーバ機器２で作成されたコメント画面情報CGの表示を実行する。
【００７３】
図示しているように、複数のクライアント機器１がネットワークNを介してサーバ機器２に接続することができる。クライアント機器１は、一般的に使用されるコンピュータであり、例えば携帯電話、スマートフォン、タブレットPC、ノートパソコンである。
【００７４】
なお、図ではクライアント機器１の数は３となっているが、サーバ機器２に接続するクライアント機器１の数が３に限定されることはない。
【００７５】
サーバ機器２は、複数のコンテンツデータCDを格納するデータベースを備え、クライアント機器１からの要求に応じて、コンテンツデータCDをネットワークNを介して送信する。また、クライアント機器１から送信されたコメント画面作成情報CJに基づいて、クライアント機器１で表示可能なコメント画面情報CGの作成を行なう。
【００７６】
サーバ機器２もまた、一般的に使用されるコンピュータである。
【００７７】
なお、図ではサーバ機器２を実現しているコンピュータの数は１となっているが、サーバ機器２を複数のコンピュータによって構築してもよい。
【００７８】
ネットワークNは、クライアント機器１とサーバ機器２とを通信可能に接続するためのものであり、インターネットや携帯電話回線などのWANで実現される。
【００７９】
なお、ネットワークNの媒体は無線、有線を問わないが、クライアント機器１の使用形態を考慮すると、無線媒体であることが望ましい。
【００８０】
図２は、本発明に関わるクライアント機器１の構成を説明するための図である。クライアント機器１は一般的に使用されているコンピュータで実現され、CPU１１、表示部１２、入力部１３、ネットワークI/F１４、メディアドライブ１５、記憶部１６、メモリ１７より構成されている。
【００８１】
CPU１１は、クライアント機器１全体を制御する。メディアドライブ１５に挿入されたメディアディスク１８に記録されているプログラムPcをCPU１１がメモリ１７において実行することによって、クライアント機器１の機能が実現される。
【００８２】
表示部１２は、クライアント機器１の制御に必要な情報を表示するために使用される。また、表示部１２は、サーバ機器２から送信されたコンテンツデータCDの表示、およびコメント画面情報CGの表示を行なう。
【００８３】
入力部１３は、マウスやキーボード、あるいはタッチパネルで構成されており、クライアント機器１に対してオペレータが指示を入力するために使用する。入力部１３は、特に表示部１２に表示されたコンテンツデータCDに対してコメント領域を指定し、またコメント文を入力するために使用する。
【００８４】
なお、表示部１２および入力部１３が一体化していても良い。
【００８５】
ネットワークI/F１４は、クライアント機器１とネットワークNとを接続するためのものである。ネットワークI/F１４を介して、クライアント機器１はサーバ機器２からコンテンツデータCDを受信する、また、クライアント機器１は、ネットワークI/F１４を介して、サーバ機器２に対してコメント画面作成情報CJを送信し、サーバ機器２にて作成されたコメント画面情報CGを受信する。
【００８６】
また、ネットワークI/F１４は、図示しないサーバより、クライアント機器１の機能を実現するプログラムPcをダウンロードすることに使用することができる。
【００８７】
メディアドライブ１５は、メディアディスク１８に記録されているプログラムPcを読み取るために使用する。メディアドライブ１５で読み取られたプログラムPcにより、クライアント機器１の機能が実現される。
【００８８】
記憶部１６は、メディアドライブ１５で読み取られたプログラムPcを格納する。また、記憶部１６は、サーバ機器２から送信されたコンテンツデータCDを格納するコンテンツデータ格納部１６１、コメント画面情報格納部１６２を備える。
【００８９】
コンテンツデータ格納部１６１は、前述のとおり、ネットワークNを介してサーバ機器２から送信されたコンテンツデータCDを格納する。コンテンツデータ格納部１６１は複数のコンテンツデータCDを格納することが可能である。クライアント機器１のユーザの所望に応じて、コンテンツデータ格納部１６１に格納されたコンテンツデータCDは、後述する表示制御部１７７の制御に基づいて表示部１２に表示される。
【００９０】
コメント画面情報格納部１６２は、ネットワークNを介してサーバ機器２から送信されたコメント画面情報CGを格納する。コメント画面情報CGは、後述するプロセスによって作成されるコンテンツデータCDを紹介するためのコメント文が付された情報である。コメント画面情報格納部１６２は複数のコメント画面情報CGを格納することが可能である。クライアント機器１のユーザの所望に応じて、コメント画面情報格納部１６２に格納されたコメント画面情報CGは、後述する表示制御部１７７の制御に基づいて表示部１２に表示される。
【００９１】
メモリ１７は、記憶部１６によって記憶されたプログラムPcをCPU１１が実行するためのワークエリアである。CPU１１によってプログラムPcが実行された結果、メモリ１７において、コンテンツデータ受信部１７１、コメント領域指定部１７２、コメント文入力部１７３、コメント画面作成情報生成部１７４、コメント画面作成情報送信部１７５、コメント画面情報受信部１７６、表示制御部１７７の機能が実現する。
【００９２】
コンテンツデータ受信部１７１は、サーバ機器２に対してコンテンツデータCDの送信を要求し、該要求に応じて送信されたコンテンツデータCDを受信する。
【００９３】
クライアント機器１のユーザが行なった入力部１３からの入力に応じて、コンテンツデータ受信部１７１はサーバ機器２に対してコンテンツデータCDの送信を要求する。要求されたコンテンツデータCDがネットワークNを介して送信されると、コンテンツデータ受信部１７１は該コンテンツデータCDを受信する。受信されたコンテンツデータCDは、CPU１１がコンテンツデータ格納部１６１に格納し、後述する表示制御部１７６により表示部１２に表示される。
【００９４】
コメント領域指定部１７２は、コンテンツデータCDにおける所定の領域をコメント画像として取得するための領域指定を行なう。クライアント機器１のユーザによる入力部１２の入力に応じて、コメント領域指定部１７２が表示部１２に表示されたコンテンツデータCDの所定の領域をコメント領域として指定する。コメント領域の指定は、例えば対角点２点を入力部１２によって指定することにより得られた矩形領域を、コメント領域指定部１７２がコメント領域として指定する。
【００９５】
コメント領域指定部１７２は、指定されたコメント領域の位置情報、および該コメント領域の形状情報を一時的に記憶する。コメント領域の位置情報は、表示部１２に表示されたコンテンツデータCDのページ上における位置である。コメント領域指定部１７２は、ページ左下点を原点とした領域の位置情報をコメント領域の位置情報として一時的に記憶する。また、領域指定を行なったコンテンツデータCDを特定するための情報である作品ID、領域指定を行なったページのページ番号についても、コミック領域指定部１７２が一時的に記憶する。さらにコメント領域指定部１７２は、入力部１２の指定によって得られた領域の形状をコメント領域の形状情報として一時的に記憶する。
【００９６】
コメント文入力部１７３は、コメント領域指定部１７２によって指定されたコメント領域に対するコメント文を入力する。コメント文入力部１７３がコメント文入力を促すことにより、クライアント機器１のユーザは入力部１２からコメント領域に対するコメント文を入力する。
【００９７】
また、コメント文入力部１７３は、入力したコメント文に対して属性を設定する。入力したコメント文に対して、コメント文入力部１７３が属性の設定を促すことにより、クライアント機器１のユーザが入力部１２からコメント文に対する属性を設定する。
【００９８】
コメント画面作成情報生成部１７４は、後述するサーバ機器２におけるコメント画面情報CGの作成に使用するコメント画面作成情報CJを生成する。コメント画面作成情報生成部１７４は、コメント領域、該コメント領域に関する情報、およびコメント文に基づいてコメント画面作成情報CJを生成する。
【００９９】
コメント画面作成情報CJの生成については、様々な手法が選択可能であり、詳細は後述する。
【０１００】
コメント画面作成情報送信部１７５は、コメント画面作成情報生成部１７４が生成したコメント画面作成情報CJを、ネットワークNを介して、サーバ機器２へ送信する。送信されたコメント画面作成情報CJは、サーバ機器２においてコメント画面情報CGの作成に使用される（詳細は後述する）。
【０１０１】
コメント画面情報受信部１７６は、後述するプロセスによってサーバ機器２で作成されたコメント画面情報CGを受信する。コメント画面情報受信部１７６が受信したコメント画面情報CGは、CPU１１がコメント画面情報格納部１６２に格納し、後述する表示制御部１７７による制御に基づいて表示部１２に表示される。
【０１０２】
表示制御部１７７は、表示部１２におけるコンテンツデータCD、およびコメント画面情報CGについて表示制御を行なう。
【０１０３】
表示制御部１７７は、コンテンツデータ格納部１６１に格納されたコンテンツデータCDを読出して表示部１２に表示する。コンテンツデータCDは、後述するように、複数のページ表現を実現するデータ構成を有しているので、表示制御部１７７がクライアント機器１のユーザによる入力部１３の操作に基づいて、表示されたコンテンツデータCDにおけるページ送り／戻しの表示を制御することにより、クライアント機器１のユーザはコンテンツデータCDを閲覧することが可能となる。また、コンテンツデータCDの所定のページにおける所定の領域をコメント領域として指定するためのページ表示の拡大／縮小についても、表示制御部１７７が制御を行なう。
【０１０４】
表示制御部１７７はまた、コメント画面情報格納部１６２に格納されたコメント画面情報CGを読み出して表示部１２に表示する。コメント画面情報CGは、後述するように、コメント文に属性が付与されているので、クライアント機器１のユーザによる入力部１３の操作によって、表示制御部１７７が同一属性を有するコメント画面情報CGの表示を制御することにより、クライアント機器１のユーザが所望するコメント画面の一覧を閲覧することが可能となる。
【０１０５】
図３は、本発明に関わるサーバ機器２の構成を説明するための図である。サーバ機器２は一般的に使用されるコンピュータで実現され、CPU２１、表示部２２、入力部２３、ネットワークI/F２４、メディアドライブ２５、記憶部２６、メモリ２７より構成されている。
【０１０６】
CPU２１は、サーバ機器２全体を制御する。メディアドライブ２５に挿入されたメディアディスク２８に記録されているプログラムPsをCPU２１がメモリ２７において実行することによって、サーバ機器２の機能が実現される。
【０１０７】
表示部２２は、サーバ機器２の制御に必要な情報を表示する。
【０１０８】
入力部２３は、サーバ機器２の制御に必要な情報を入力する。
【０１０９】
ネットワークI/F２４は、サーバ機器２とネットワークNとを接続するためのものである。ネットワークI/F２４を介して、サーバ機器２はクライアント機器１からの要求に基づき、クライアント機器１に対してコンテンツデータCDを送信する。また、サーバ機器２は、クライアント機器１で生成されたコメント画面作成情報CJをネットワークI/F２４を介して受信し、後述するプロセスで作成されたコメント画面情報CJをネットワークI/F２４を介してクライアント機器１へ送信する。
【０１１０】
また、ネットワークI/F２４は、図示しないサーバより、サーバ機器２の機能を実現するプログラムPsをダウンロードすることも可能である。
【０１１１】
メディアドライブ２５は、メディアディスク２８に記録されているプログラムPsを読み取るために使用する。メディアドライブ２５で読み取られたプログラムPsにより、サーバ機器２の機能が実現される。
【０１１２】
記憶部２６は、メディアドライブ２５で読み取られたプログラムPsを格納する。また、記憶部２６は、コンテンツデータCDを格納するコンテンツデータベース２６１、コメント画面情報格納部２６２を備えている。
【０１１３】
コンテンツデータベース２６１は、複数のコンテンツデータCDを格納するためのものである。コンテンツデータCDは、クライアント機器１で閲覧可能な形式のフォーマットを有し、またクライアント機器１の表示に基づいた複製を可能とするデータである。
【０１１４】
なお、コンテンツデータベース２６１は、記憶部２６とは別個に設けるようにしても良い。
【０１１５】
コメント画面情報格納部２６２は、後述するプロセスによってサーバ機器２で作成されたコメント画面情報CGを格納する。コメント画面情報格納部２６２は複数のコメント画面情報CGを格納し、クライアント機器１からの要求に応じて、コメント画面情報送信部２７４による送信処理が行なわれる。
【０１１６】
メモリ２７は、記憶部２６によって記憶されたプログラムPsをCPU２１が実行するためのワークエリアである。CPU２１によってプログラムPsが実行された結果、メモリ２７において、コンテンツデータ送信部２７１、コメント画面作成情報受信部２７２、コメント画面情報作成部２７３、コメント画面情報送信部２７４の機能が実現する。
【０１１７】
コンテンツデータ送信部２７１は、クライアント機器１からの要求に応じ、コンテンツデータベース２６１からコンテンツデータCDを読み出し、ネットワークNを介して、クライアント機器１へ送信する。
【０１１８】
コメント画面作成情報受信部２７２は、クライアント機器１のコメント画面作成情報送信部１７６が送信したコメント画面作成情報CJを受信する。コメント画面作成情報受信部２７２が受信したコメント画面作成情報CJは、後述するコメント画面情報作成部２７３におけるコメント画面情報CGの作成に供される。
【０１１９】
コメント画面情報作成部２７３は、受信したコメント画面作成情報CJに基づいて、クライアント機器１で表示可能なコメント画面情報CGの作成を行なう。コメント画面情報作成部２７３は、コメント画面作成情報CJに含まれるコメント領域内の画像をコメント画像とし、該コメント画面作成情報CJに含まれるコメント文と関連付けることにより、コメント画面情報CGを作成する。
【０１２０】
コメント画面情報作成部２７３は、コメント画面作成情報CJが送信される毎にコメント画面情報CGを作成し、コメント画面情報格納部２６２にコメント画面情報CGを格納する。
【０１２１】
なお、コメント画面情報CGの作成については、様々な手法が選択可能であり、詳細は後述する。
【０１２２】
コメント画面情報送信部２７４は、クライアント機器１からの要求に応じて、コメント画面情報格納部２６２に格納されたコメント画面情報CGを所定の表示フォーマット処理を施して送信する。コメント画面情報CGそのものは可視性の高いデータ形式ではないので、コメント画面情報送信部２７４はクライアント機器１からの要求に応じて、コメント画面情報CGに対してコメント画像およびコメント文の可視性が高いカード形式やカラム形式などの表示フォーマット処理を行ない、送信する。送信されたコメント画面情報CGは、ネットワークNを介して、クライアント機器１において受信される。
【０１２３】
図４は、クライアント・サーバシステム１００におけるクライアント機器１およびサーバ機器２の動作を説明するためのフローチャートである。
【０１２４】
なお、これらの図に関わる説明において、「ステップS*C」はクライアント機器１の動作に関するステップであり、「ステップS*S」はサーバ機器２の動作に関わるステップである。
【０１２５】
ステップS1Cにおいて、クライアント機器１のユーザによる入力部１３の操作により、ネットワークNを介して、クライアント機器１がサーバ機器２にコンテンツデータCDの送信を要求する。クライアント機器１によるサーバ機器２が有するコンテンツデータCDの要求は、例えばサーバ機器２のコンテンツデータベース２６１の一覧をクライアント機器１の表示部１２に表示し、クライアント機器１の入力部１３をさらに操作して該一覧から所望のコンテンツデータCDを要求するなど、適宜手法を選択することができる。
【０１２６】
ステップS1Cによってクライアント機器１がサーバ機器２に対してコンテンツデータCDの送信を要求すると、ステップS1Sにおいて、サーバ機器２のコンテンツデータ送信部２７１が要求されたコンテンツデータCDをコンテンツデータベース２６１から読み出し、ネットワークNを介して、クライアント機器１へ送信する。
【０１２７】
図５は、ステップS1CおよびステップS1Sで送信が要求されたコンテンツデータCDの構成を説明するための図である。ここでは、コンテンツデータCDが、「作品ID」、「作品名」、「総ページ数」、「ページサイズ」、「ページファイル」という構造を有している。
【０１２８】
「作品ID」は、コンテンツデータCDを特定するための項目である。マンガなどのコンテンツは、作者や内容は異なるが作品名は同じということがままあるため、作品名だけではコンテンツを特定することができない。そこで、コンテンツデータベース２６１にコンテンツデータCDを格納するに際して、各コンテンツデータCDにユニークな作品IDを付与することで、コンテンツデータCDの特定に供している。
【０１２９】
ここでは、「作品ID」として「１」が付与されている。
【０１３０】
「作品名」は、コンテンツデータCDによって表現されるコンテンツ名称についての項目である。通常は、クライアント機器１のユーザがコンテンツデータCDを検索する際に使用される項目である。
【０１３１】
ここでは、「作品名」として「紀州犬物語」が付与されている。
【０１３２】
「総ページ数」は、コンテンツデータCDによって表現されるコンテンツのページ数を格納した項目である。コンテンツデータCDが元々は印刷物をスキャンして得られたデジタルデータである場合は、該印刷物を構成していた際のページ数が総ページ数となる。当初からコンテンツデータCDがデジタルデータとして作成された場合は、クライアント機器１における一度に閲覧可能な単位を「ページ」として取り扱うものとする。
【０１３３】
ここでは、「総ページ数」が「４」ページであるものとする。
【０１３４】
「ページサイズ」は、コンテンツデータCDによって表現されるページサイズについての項目である。コンテンツデータCDによって表現されるページにはページサイズが指定されている。コンテンツデータCDが元々は印刷物をスキャンして得られたデジタルデータである場合は、「ページサイズ」は該印刷物を構成していたページの実際のサイズである。当初からコンテンツデータCDがデジタルデータとして作成された場合は、「ページサイズ」はコンテンツデータCD作成時のページ表現サイズについての設定値である。
【０１３５】
ここでは、「ページサイズ」が「148mm×210mm」であるものとする。
【０１３６】
「ページファイル」は、コンテンツデータCDとして格納されたクライアント機器１の表示部１２に表示されるファイルについての項目である。クライアント機器１の表示部１２に表示可能な形式のファイルが、「ページファイル」として格納されている。「ページファイル」として格納されるファイルについては、該ファイルが表現する画像についてコピーが可能であることが望ましい。ここでは、「ページファイル」として、「dog1.jpg」、「dog2.jpg」、「dog3.jpg」、「dog4.jpg」が格納されているものとする。
【０１３７】
なお、ページファイルに関する著作権法における複製権の行使は、このクライアント・サーバシステム１００においてコンテンツデータCDを取り扱うことに際しては限定的に解禁されているものとする。
【０１３８】
また、コンテンツデータCDの構成は、上記説明に限定されるものではない。例えば、総ページ数やページサイズは、上記に限定されるものではない。あるいは、ページファイルとして、複数ページを一つのファイルに格納可能なPDF形式のファイルを採用しても良い。あるいは、ページファイルが、１ページに対してコマに相当する複数の画像データをオブジェクトとしてベースページに貼り付けた形式のページ記述言語ファイルであっても良い。
【０１３９】
図４に戻り、ステップS2Cにおいて、クライアント機器１のコンテンツデータ受信部１７１が、ネットワークNを介して送信されたコンテンツデータCDを受信する。コンテンツデータ受信部１７１は、受信したコンテンツデータCDをコンテンツデータ格納部１６１に格納する。
【０１４０】
ステップS3Cで、クライアント機器１のユーザによる入力部１３の操作に応じて、表示制御部１７７がコンテンツデータ格納部１６１に格納したコンテンツデータCDを読出し、表示部１２に表示する。クライアント機器１のユーザが入力部１３を操作することにより、複数のページ表現を実現するデータ構成を有しているコンテンツデータCDに対して、表示制御部１７７がコンテンツデータCDにおけるページ送り／戻しの表示を制御することで、クライアント機器１のユーザによるコンテンツデータCDの閲覧が可能となる。
【０１４１】
コンテンツデータCDを閲覧していたクライアント機器１のユーザが、該コンテンツデータCDを人に勧めたいと思ったならば、サーバ機器２においてコメント画面情報CGを作成するため、ステップS4Cにおいてコメント画面作成情報生成部１７４がコメント画面作成情報CJを生成する。
【０１４２】
ここで、ステップS4Cの詳細な動作の説明は後述する。
【０１４３】
ステップS4Cを実行した結果生成されたコメント画面作成情報CJについて、ステップS5Cにおいて、コメント画面作成情報送信部１７５がコメント画面作成情報CJをネットワークNを介して、サーバ機器２へ送信する。
【０１４４】
一方、ステップS2Sでは、ネットワークNを介して送信されたコメント画面作成情報CJをサーバ機器２のコメント画面作成情報受信部２７２が受信する。
【０１４５】
ステップS3Sにおいて、受信したコメント画面作成情報CJに基づいて、コメント画面情報作成部２７３がコメント画面情報CGを作成する。
【０１４６】
ここで、ステップS3Sの詳細な動作の説明は後述する。
【０１４７】
作成されたコメント画面情報CGは、コメント画面情報作成部２７３がコメント画面情報格納部２６２に格納する。
【０１４８】
ステップS6Cにおいて、クライアント機器１がサーバ機器２に対して、コメント画面情報CGの送信を要求する。クライアント機器１のユーザは入力部１３を操作して、例えばサーバ機器２のコメント画面情報格納部２６２の一覧をクライアント機器１の表示部１２に表示し、さらにクライアント機器１の入力部１３を操作してコメント画面情報CGを要求するなど、適宜手法を選択することができる。
【０１４９】
ステップS4Sでは、ネットワークNを介して要求されたコメント画面情報CGについて所定の表示フォーマット処理を行ない、サーバ機器２のコメント画面情報送信部２７４がクライアント機器１に対して送信する。コメント画面情報CGはそのまま表示を行なうのに適したデータ形式ではないので、コメント画面情報送信部２７４は、コメント画像とコメント文について可視性の高いカード形式やカラム形式など、所定の可視性が高い表示フォーマット処理をコメント画面情報CGに行なって、クライアント機器１に送信する。
【０１５０】
ステップS7Cにおいて、クライアント機器１のコメント画面情報受信部１７６が、ネットワークNを介して送信されたコメント画面情報CGを受信する。コメント画面情報受信部１７６は、受信したコメント画面情報CGをコメント画面情報格納部１６２に格納する。
【０１５１】
ステップS8Cで、表示制御部１７７はコメント画面情報格納部１６２に格納されたコメント画面情報CGを読出し、所定の表示フォーマットに基づいて表示部１２に表示する。表示されたコメント画面を参照して、クライアント機器１のユーザは、サーバ機器２に対して新たにコンテンツデータCDの送信要求を行なう。
【０１５２】
あるいは、表示されたコメント画面に対するコメント画面情報CGを作成するためのコメント画面作成情報CJを生成しても良い。
【０１５３】
図１に示したクライアント・サーバシステム１００は上記のように動作することで、サーバ機器２に格納されたコンテンツデータCDの閲覧をクライアント機器１のユーザに促すことができる。
【０１５４】
図６は、図４のステップS4Cにおいて、コメント画面作成情報生成部１７４がコメント画面作成情報CJを生成するプロセスを説明するためのフローチャートである。
【０１５５】
ここでは、コメント領域指定部１７２が指定した領域の位置情報および形状情報について、コメント画面作成情報生成部１７４がコメント領域として取得し、コメント画面作成情報CJの生成に使用する。
【０１５６】
また、コメント領域指定部１７２が一時的に記憶したコメント領域を指定したコンテンツデータCDの作品ID、コメント領域を指定したページ番号についても、コメント画面作成情報生成部１７４が取得し、コメント画面作成情報CJの生成に使用する。さらに、コメント画面作成情報生成部１７４は、コメント文入力部１７３によって入力されたコメント文および該コメント文の属性をコメント画面作成情報CJの生成に使用する。
【０１５７】
ステップS41Cにおいて、表示部１２に表示されたコンテンツデータCDに対して、コメント領域指定部１７２がコメント領域を指定する。表示制御部１７７が表示されたコンテンツデータCDの所定ページについて拡大／縮小を行ない、クライアント機器１のユーザが入力部１３を操作して表示部１２に表示されたコンテンツデータCD上の所定部分を領域指定すると、コメント領域指定部１７２が該領域指定された所定部分についてコメント領域として指定する。
【０１５８】
ステップS42Cでは、ステップS41Cで指定されたコメント領域、およびコメント領域を指定したコンテンツデータCDの作品ID、コンテンツデータCDのページ番号をコメント画面作成情報生成部１７４が取得する。取得したコンテンツデータCDの作品ID、ページ番号は、コメント画面作成情報生成部１７４におけるコメント画面作成情報CJの生成に使用される。
【０１５９】
ステップS43Cにおいて、コメント文入力部１７３が、クライアント機器１のユーザが入力部１３を操作して得られたテキストをコメント文として入力する。入力されたコメント文は、コメント画面作成情報生成部１７４におけるコメント画面作成情報CJの生成に使用される。
【０１６０】
また、コメント文入力部１７３は、コメント文入力時に、該コメント文についての属性の入力について、クライアント機器１のユーザに促す。入力されたコメント文の属性は、やはりコメント画面作成情報生成部１７４におけるコメント画面作成情報CJの生成に使用される。
【０１６１】
ステップS44Cで、コメント画面作成情報生成部１７４は、ステップS42C、S43Cの処理に基づいて、コメント画面作成情報CJを生成する。
【０１６２】
図７は、表示部１２に表示されたコンテンツデータCDに対してコメント領域指定部１７２によるコメント領域の指定に基づいて、コメント画面作成情報生成部１７４がコメント画面作成情報CJを生成することを説明するための図である。
【０１６３】
図７(a)は、表示部１２にコンテンツデータCD1pが表示された状態を示している。コンテンツデータCD1pは、コンテンツデータCDの１ページ目であり、「ページファイル」における「dog1.jpg」に相当する。
【０１６４】
なお、コンテンツデータCD1pのページサイズは、表示部１２の表示サイズに一致するとは限らない。一般的には、表示部１２の表示サイズよりもページサイズの方が大きいので、表示制御部１７７がコンテンツデータCDのページサイズと表示部１２の表示サイズとの比較を行なった上で適宜倍率を調整することにより、コンテンツデータCD1pが表示部１２に適切なサイズとして表示される。ここでは、説明を簡略化するため、表示部１２に適切なサイズでコンテンツデータCD1pが表示されているものとする。
【０１６５】
クライアント機器１のユーザは、入力部１３を操作して、表示部１２に表示されたコンテンツデータCD1pの所望の部分をコメント領域として指定する。ここでは、CR1(x1,y1)、CR2(x2,y2)の二点を指定し、該二点を対角点とする矩形CRをコメント領域として指定したものとする。
【０１６６】
なお、指定するコメント領域の形状は矩形に限定されるものではない。例えば、同じ二点指定であってもコメント領域の形状を円としても良い。また、複数点を指定して形状が多角形となるコメント領域の指定を行なっても良い。
【０１６７】
図７(a)に示すように、コメント領域指定部１７２がコンテンツデータCDに対してコメント領域を指定すると、コメント画面作成情報生成部１７４はコメント領域が指定されたコンテンツデータCDの作品ID、ページ番号を取得する。コメント領域指定部１７２はコメント領域を指定する際に、表示制御部１７７が表示部１２に表示しているコンテンツデータCDの作品ID、コンテンツデータCDのページ番号を取得して一時的に記憶する。コメント画面作成情報生成部１７４は、コメント領域について、ページ左下点を原点としたオフセット情報をコメント領域の位置情報として取得し、CR1(x1,y1)、CR2(x2,y2)を対角点とする矩形CRをコメント領域の形状情報として取得することで、コメント領域についての情報を取得する。また、コメント領域指定部１７２が一時的に記憶していたコンテンツデータCDの作品ID、コンテンツデータCDのページ番号について、コメント画面作成情報生成部１７４が取得することで、コメント領域が指定されたコンテンツデータCD、および該コンテンツデータCDにおけるページ番号に基づくコメント画面作成情報CJの生成が行なわれる。
【０１６８】
図７(b)は、コメント画面作成情報生成部１７４が生成したコメント画面作成情報CJを説明するための図である。図示しているように、コメント画面作成情報生成部１７４は、コメント領域指定部１７２から取得したコンテンツデータCDの作品ID、ページ番号、コメント領域、コメント領域の位置情報並びに形状情報、およびコメント文入力部１７３によって入力されたコメント文に基づいて、コメント画面作成情報CJを生成している。
【０１６９】
ここでは、作品IDが１のコンテンツデータCDの１ページ目であるコンテンツデータCD1p上の左下点を原点とするオフセット位置(x1,y1)に指定したCR1(x1,y1)、CR2(x2,y2)を対角点とする矩形CRをコメント領域とし、該コメント領域に対してコメント文入力部１７３がコメント文の属性を「犬」、コメント文を「紀州犬の差し尾は最高です！」と入力したことにより、コメント画面作成情報生成部１７４は図７(b)に示すようなコメント画面作成情報CJを生成する。
【０１７０】
図８は、図６に示したプロセスにより生成されたコメント画面作成情報CJがサーバ機器２に送信され、コメント画面情報作成部２７３がコメント画面情報CGを作成するプロセスを説明するためのフローチャートである。
【０１７１】
ここでは、コメント画像を取得するに際して、コメント画面情報作成部２７３は、コメント画面作成情報CJに含まれる作品IDを参照して、コメント画像を取得するコンテンツデータCDを特定する。
【０１７２】
また、コメント画面作成情報CJに含まれるページ番号から、コメント画像を取得するコンテンツデータCDにおけるページ番号を特定する。そして、コメント領域の位置情報及び形状情報に基づいて、コメント画像を取得するコンテンツデータCDにおけるページ番号に相当するページ上の位置および形状の画像をコメント画像として取得する。
【０１７３】
ステップS31Sで、コメント画面情報作成部２７３は、コメント画面情報CGを作成すべきコンテンツデータCDをコンテンツデータ格納部２６１から読み出す。
【０１７４】
前述のとおり、コメント画面作成情報CJにはコメント領域を指定したコンテンツデータCDの作品IDが含まれているので、コメント画面情報作成部２７３は該作品IDを参照してコメント画面情報CGを作成すべきコンテンツデータCDを特定し、コンテンツデータ格納部２６１からの読出しを行なう。
【０１７５】
ステップS32Sにおいて、コメント画面情報作成部２７３は、コメント画面作成情報CJを参照して、コメント画面情報CGを作成するためのコンテンツデータCDにおけるページファイルを特定する。
【０１７６】
前述のとおり、コメント画面作成情報CJにはコメント領域を指定したコンテンツデータCDにおけるページ番号が含まれているので、コメント画面情報作成部２７３は、該ページ番号に相当するページファイルを特定することが可能となる。
【０１７７】
ステップS33Sで、コメント画面情報作成部２７３は、コメント画面作成情報CJを参照して、コンテンツデータCDにおけるページファイルから、コメント領域に相当する領域に含まれる画像をコメント画像として抽出する。
【０１７８】
前述のとおり、コメント画面作成情報CJには、コメント領域の位置情報および形状情報が含まれているので、コメント画面情報作成部２７３は、ステップS32Sで特定されたページファイルから、コメント画面作成情報CJに含まれるコメント領域の位置情報および形状情報に相当する領域の画像を抽出し、適宜名称を付したコメント画像とする。コメント画面情報作成部２７３は、該コメント画像を一時的に記憶する。
【０１７９】
ステップS34Sにおいて、コメント画面情報作成部２７３は、コメント画面作成情報CJに含まれるコメント文の属性およびコメント文を取得し、ステップS33Sで抽出したコメント画像と組み合わせて、コメント画面情報CJを作成する。
【０１８０】
前述のとおり、コメント画面作成情報CJには、コメント文の属性、およびコメント文が含まれているので、コメント画面情報作成部２７３は、該コメント文の属性およびコメント文を取得し、コメント画像と関連付けを行なう。
【０１８１】
また、コメント画面情報作成部２７３は、コメント画面作成情報CJに含まれる作品IDを参照して、該コメント画像を抽出したコンテンツデータCDの「作品名」を取得し、コメント画面情報CGに付与する。
【０１８２】
さらに、コメント画面情報作成部２７３は、作品IDを参照して、該作品IDが付与されたコンテンツデータCDに対するリンク情報を生成し、コメント画面情報CGに付与する。
【０１８３】
ステップS35Sにおいて、コメント画面情報作成部２７３は、作成したコメント画面情報CGを、コメント画面情報格納部２６２に格納する。
【０１８４】
図９は、図７(b)に示したコメント画面作成情報CJに基づいて、コメント画面情報作成部２７３が作成したコメント画面情報CGを説明するための図である。
【０１８５】
コメント画面情報CGは、図示しているように、「作品名」、「コメント画像」、「コメント文属性」、「コメント文」、「リンク」という構造を有している。
【０１８６】
「作品名」は、コンテンツデータCDにおける「作品名」と同じものである。クライアント機器１のユーザにとって、作品を特定するために最も有用な情報はコンテンツデータCDによって表現されるコミック作品の名称である。そこで、コメント画面作成情報CJに付与されていた作品IDを参照に、コメント画面情報作成部２７３は特定したコンテンツデータCDにおける「作品名」を取得してコメント画面情報CGに付与する。
【０１８７】
ここでは、「作品名」として、「紀州犬物語」が付与されているものとする。
【０１８８】
「コメント画像」は、コメント画面作成情報CJを参照して、コメント画像情報作成部２７３が、コンテンツデータCDにおけるページファイルから、コメント領域に相当する領域に含まれる画像をコメント画像として抽出したものである。
【０１８９】
コメント画像は、コメント画面作成情報CJに基づいて、コンテンツデータCDから抽出したコメント領域の位置情報及び形状情報に相当する画像なので、表示に足る精細な画像である。また、クライアント機器１ではコメント領域の位置情報および形状情報を生成するのみであり、コメント画像の抽出はサーバ機器２で実行されるので、クライアント機器１における処理を軽減しつつ、ユーザの視認に耐える精細画像をコメント画像として使用することができる。
【０１９０】
ここでは、「コメント画像」は、コメント画像情報作成部２７３が名称を付した「comment1.jpg」であるものとする。
【０１９１】
「コメント文属性」は、コメント画面作成情報CJに含まれたコメント文に付与された属性である。コメント画面情報CGに付与されたコメント文の属性は、コメント画面情報CGの検索タグや、ソートタグとして使用される。
【０１９２】
ここでは、「コメント文属性」は、「犬」であるものとする。
【０１９３】
「コメント文」は、コメント画面作成情報CJに含まれたコメント文である。コメント画面情報CGはコメント画面に合わせてコメント文を表示することにより、単なる感想だけではなく、作品のどの部分に対する感想なのかを明確にしているので、作品を紹介する方は紹介の根拠をコメント画像とコメント文によって明確に伝えることができ、作品を検索する方は具体的なコメント画像とコメント文を参照することで自分好みの作品を探すことが容易となる。
【０１９４】
ここでは、「コメント文」は、「紀州犬の差し尾は最高です！」であるものとする。この場合、コメント画像である「comment1.jpg」は、作品中の犬のしっぽの描写について特に抽出した画像なので、コメント画像とコメント文とが適切な関連付けを有していることになる。
【０１９５】
「リンク」は、コンテンツデータCDにリンクする情報である。コメント画像情報CGを見て、コメントされたコンテンツデータCDに関心を有したクライアント機器１のユーザが、容易にコンテンツデータCDにアクセスできるようにするため、コメント画面情報作成部２７３が、作品IDを参照して、該作品IDが付与されたコンテンツデータCDに対するリンク情報を生成し、コメント画面情報CGに付与する。
【０１９６】
リンクは、コンテンツデータCDにアクセスするための記述であればよく、ハイパーリンクなど所望のリンク記述を採用することができる。
【０１９７】
ここでは、「リンク」は、「サーバ名／コンテンツデータ格納データベース名／コンテンツデータ名」であるものとする。
【０１９８】
クライアント機器１において図６に示したコメント画面作成情報CJの生成が繰り返しおこなわれ、サーバ機器２において図８に示したコメント画面情報CGの作成が繰り返し行なわれることにより、クライアント・サーバシステム１００におけるコメント画面表示が実現する。
【０１９９】
図１０は、コメント画面情報CGをクライアント機器１の表示部１２に表示した状態を示すための図である。
【０２００】
図示しているように、表示制御部１７７が、所定の表示フォーマットに基づく表示制御を行なうことで、コメント画面情報CGはカード形式、あるいはカラム形式のように、ユーザにとって視認性の高い表示が行なわれる。
【０２０１】
ここでは、サーバ機器２のコメント画面情報格納部２６２から、「コメント文属性」が「犬」であるコメント画面情報CGを検索して複数表示したものとする。
【０２０２】
図１０(a)は、コメント画面情報CGをカード形式で表示した状態を示している。コメント画面情報CGの表示は、入力部１３を操作することにより、カードをめくるかのように、順次複数のコメント画面情報CGを表示する。
【０２０３】
また、入力部１３の入力により、カード全体をクリックすることで、コメント画面情報CGが有するリンクに基づいて、コメント対象であるコンテンツデータCDにアクセスすることができる。
【０２０４】
図１０(b)は、コメント画面情報CGをカラム形式で表示した状態を示している。コメント画面情報CGの表示は、入力部１３を操作することにより、カラムをスクロールすることで、順次複数のコメント画面情報CGを表示する。
【０２０５】
また、入力部１３の入力により、カラムをクリックすることで、コメント画面情報CGが有するリンクに基づいて、コメント対象であるコンテンツデータCDにアクセスすることができる。
【０２０６】
なお、表示部１２におけるコメント画面情報CGの表示は、図示したものに限定されることはない。また、図１０では、表示しているコメント画面情報CGは３であるが、表示するコメント画面情報CGの数は３に限定されない。
【０２０７】
このように、図１に示したクライアント・サーバシステム１００において、図４に示したフローチャートのようにクライアント機器１、サーバ機器２が動作することにより、クライアント機器１のユーザが、読んでいて気に入ったマンガの画面の一部を引用してコメントをつけてサーバ機器２に送信すると、サーバ機器２がクライアント機器１において閲覧可能なマンガの画面の一部とコメント文とを組み合わせたコメント画面を作成するので、クライアント機器１の別のユーザがコメント文を含むコメント画面を参照することができるため、マンガに対する感想のみならず、マンガの絵も参照して自分が所望するマンガを探すことが可能となり、読者が面白い作品を探すために有用なコメント画面を作成するサービスを実現することができる。
【０２０８】
〈第２の実施形態〉
【０２０９】
図１に示したクライアント・サーバシステム１００においては、クライアント機器１におけるコメント画面作成情報CJの生成、およびサーバ機器２におけるコメント画面情報CGの作成について、別の手法を採用することができる。
【０２１０】
図１１は、図４のステップS4Cにおいて、図６に示したプロセスとは別の手法で、コメント画面作成情報生成部１７４がコメント画面作成情報CJを生成するプロセスを説明するためのフローチャートである。
【０２１１】
ここでは、コメント領域指定部１７２が指定した領域に相当するコンテンツデータCDの表示画像についてコメント画面作成情報生成部１７４がコメント領域として取得する点が、図６に示したプロセスとは異なっている。
【０２１２】
ステップS410Cで、表示部１２に表示されたコンテンツデータCDに対して、コメント領域指定部１７２がコメント領域を指定する。表示制御部１７７が表示されたコンテンツデータCDの所定ページについて拡大／縮小を行ない、クライアント機器１のユーザが入力部１３を操作して表示部１２に表示されたコンテンツデータCD上の所定部分を領域指定すると、コメント領域指定部１７２が該領域指定された所定部分についてコメント領域として指定する。
【０２１３】
ステップS411Cにおいて、ステップS410Cでコメント領域として指定された領域に相当する表示画像をコメント画面作成情報生成部１７４が取得する。図７(a)に示すように、表示部１２に表示されたコンテンツデータCD1pに対してコメント領域として指定した矩形CRについて、コメント画面作成情報生成部１７４は該矩形CR内に含まれる表示画像を取得する。コメント画面作成情報生成部１７４は、取得した表示画像について、例えば「comment1.jpg」という名称を付して、一時的に記憶する。
【０２１４】
すなわち、ステップS411Cでは、コメント画面作成情報生成部１７４が取得した表示画像そのものがコメント領域として取り扱われることになる。
【０２１５】
ステップS412Cでは、コメント領域を指定したコンテンツデータCD1pの作品ID、コンテンツデータCD1pのページ番号をコメント画面作成情報生成部１７４が取得する。取得したコンテンツデータCDの作品ID、ページ番号は、コメント画面作成情報生成部１７４におけるコメント画面作成情報CJの生成に使用される。
【０２１６】
ステップS413Cにおいて、コメント文入力部１７３が、クライアント機器１のユーザが入力部１３を操作して得られたテキストをコメント文として入力する。入力されたコメント文は、コメント画面作成情報生成部１７４におけるコメント画面作成情報CJの生成に使用される。
【０２１７】
また、コメント文入力部１７３は、コメント文入力時に、該コメント文についての属性の入力について、クライアント機器１のユーザに促す。入力されたコメント文の属性は、やはりコメント画面作成情報生成部１７４におけるコメント画面作成情報CJの生成に使用される。
【０２１８】
ステップS414Cで、コメント画面作成情報生成部１７４は、ステップS411C、S412C、S413Cの処理に基づいて、コメント画面作成情報CJを生成する。
【０２１９】
図１２は、図７(a)に示した表示部１２にコンテンツデータCD1pが表示された状態において、コメント画面作成情報生成部１７４が図１１のプロセスを動作したときに生成されるコメント画面作成情報CJを説明するための図である。
【０２２０】
図１２に示すコメント画面作成情報CJは、「作品ID」、「ページ番号」、「コメント文属性」、「コメント文」については、図７(b)に示したコメント画面作成情報CJと共通しているが、「コメント領域」の項目について、「comment1.jpg」が格納されている。
【０２２１】
comment1.jpgは、表示部１２に表示されたコンテンツデータCDの一部ではあるが、表示部１２に表示された画像であることから、コンテンツデータCDの表現解像度よりも画像の解像度が低い画像情報である。
【０２２２】
従って、コメント画像作成情報送信部１７５によってコメント画像作成情報CJを送信する際の負荷は高くないので、クライアント機器１における処理負荷がさほど増加することはない。
【０２２３】
図１３は、図４のステップS3Sにおいて、図８に示したプロセスとは別の手法で、コメント画面情報作成部２７３がコメント画面情報CGを作成するプロセスを説明するためのフローチャートである。
【０２２４】
ステップS310Sにおいて、コメント画面情報作成部２７３は、コメント画面作成情報CJに含まれるコメント領域に相当する表示画像をコメント画像として取得する。コメント画像作成情報CJの「コメント領域」の項目に格納されている「comment1.jpg」を、コメント画面情報作成部２７３がコメント画像として取得する。
【０２２５】
すなわち、この場合、コメント画面情報作成部２７３は、コンテンツデータ格納データベース２６１にアクセスしてコンテンツデータCDを読出してコメント画像を抽出する必要はないので、サーバ機器２の負担が軽減される。
【０２２６】
ステップS311Sで、図８のステップS34S同様、コメント画面情報作成部２７３はコメント画面情報CGを作成し、ステップS312Sで、図８のステップS35S同様、コメント画面情報作成部２７３はコメント画面情報CGをコメント画像情報格納部２６２に格納する。
【０２２７】
図１１に示したプロセスによって、クライアント機器１においてコメント画面作成情報CJが生成され、図１３に示したプロセスによって、サーバ機器２においてコメント画面情報CGの作成が行なわれるクライアント・サーバシステム１００では、クライアント機器１の表示部１２に表示されたコンテンツデータCDに対して指定した領域の画像をコメント領域とするので、解像度の低い画像を対象とするコメント画面作成情報CJの生成におけるクライアント機器１の負荷はそれほど増えず、コメント画像の表現は若干劣化するものの、サーバ機器２におけるコメント画面情報CGの作成負荷は軽減される。
【０２２８】
従って、このような実施形態であっても、クライアント機器１のユーザが、読んでいて気に入ったマンガの画面の一部を引用してコメントをつけてサーバ機器２に送信すると、サーバ機器２がクライアント機器１において閲覧可能なマンガの画面の一部とコメント文とを組み合わせたコメント画面を作成するので、クライアント機器１の別のユーザがコメント文を含むコメント画面を参照することができるため、マンガに対する感想のみならず、マンガの絵も参照して自分が所望するマンガを探すことが可能となり、読者が面白い作品を探すために有用なコメント画面を作成するサービスを実現することができる。
【０２２９】
〈第３の実施形態〉
【０２３０】
図１に示したクライアント・サーバシステム１００においては、クライアント機器１におけるコメント画面作成情報CJの生成、およびサーバ機器２におけるコメント画面情報CGの作成について、さらに別の手法を採用することができる。
【０２３１】
図１４は、図４のステップS4Cにおいて、図６、図１１に示したプロセスとは別の手法で、コメント画面作成情報生成部１７４がコメント画面作成情報CJを生成するプロセスを説明するためのフローチャートである。
【０２３２】
ここでは、コメント領域指定部１７２が指定した領域の位置情報および形状情報、および表示部１２に表示されているコンテンツデータCDの作品ID、ページ番号に基づいて、コンテンツデータCDから抽出した詳細画像をコメント領域とする点が、図６、図１１に示したプロセスとは異なっている。
【０２３３】
ステップS4100Cにおいて、表示部１２に表示されたコンテンツデータCDに対して、コメント領域指定部１７２がコメント領域を指定する。コメント領域指定部１７２は指定したコメント領域について、該コメント領域のページ原点からの位置情報、および該コメント領域の形状情報を取得する。
【０２３４】
ステップS4101Cでは、コメント画面作成情報生成部１７４が、コメント領域が指定されたコンテンツデータCDの作品ID、ページ番号を取得し、該ページ番号に相当するページファイルから、ステップS4100Cで指定したコメント領域に相当する領域の精細画像を抽出する。
【０２３５】
すなわち、ステップS4101Cでは、図８のステップS33Sに示したプロセスと同様の処理を行なうことで、サーバ機器２におけるコメント画像抽出処理をクライアント機器１で行なうことができる。
【０２３６】
ステップS4102Cでは、図６に示したステップS43Cと同様の処理を行ない、ステップS4103Cでは図６に示したステップS44Cと同様の処理を行なうことにより、コメント画面作成情報生成部１７４は、コメント画像作成情報CJを生成する。
【０２３７】
図１４に示したプロセスで生成されたコメント画面作成情報CJは、図１２に示したコメント画面作成情報CJと同様の形式となる。
【０２３８】
ただし、「コメント領域」の項目に格納される画像が、図１２のコメント画面作成情報CJでは解像度の低い表示画像だったのに対して、図１４に示したプロセスで生成されたコメント画面作成情報CJではコンテンツデータCDから抽出した解像度の高い精細画像となる点で、図１４のプロセスと図１２のプロセスとは異なっている。
【０２３９】
この場合、コメント画像作成情報送信部１７５によってコメント画像作成情報CJを送信する際の負荷は高くなるが、コメント画像として解像度の高い精細画像を使用することができるという利点がある。
【０２４０】
図１５は、図４のステップS3Sにおいて、図８、図１３に示したプロセスとは別の手法で、コメント画面情報作成部２７３がコメント画面情報CGを作成するプロセスを説明するためのフローチャートである。
【０２４１】
ステップS3100Sにおいて、コメント画面情報作成部２７３は、コメント画面作成情報CJに含まれるコメント領域に相当する精細画像をコメント画像として取得する。
【０２４２】
すなわち、この場合においても、コメント画面情報作成部２７３は、コンテンツデータ格納データベース２６１にアクセスしてコンテンツデータCDを読出してコメント画像を抽出する必要はないので、サーバ機器２の負担が軽減される。
【０２４３】
ステップS3101Sで、図８のステップS34S、図１３のステップS312同様、コメント画面情報作成部２７３はコメント画面情報CGを作成し、ステップS3102Sで、図８のステップS35S、図１３のステップS313同様、コメント画面情報作成部２７３はコメント画面情報CGをコメント画像情報格納部２６２に格納する。
【０２４４】
図１４に示したプロセスによって、クライアント機器１においてコメント画面作成情報CJが生成され、図１５に示したプロセスによって、サーバ機器２においてコメント画面情報CGの作成が行なわれるクライアント・サーバシステム１００では、クライアント機器１の表示部１２に表示されたコンテンツデータCDに対して指定した領域に相当する精細画像をコメント領域とするので、クライアント機器１の負荷は若干増加するが、コメント画像の表現は劣化することなく、サーバ機器２におけるコメント画面情報CGの作成負荷は軽減される。
【０２４５】
従って、このような実施形態であっても、クライアント機器１のユーザが、読んでいて気に入ったマンガの画面の一部を引用してコメントをつけてサーバ機器２に送信すると、サーバ機器２がクライアント機器１において閲覧可能なマンガの画面の一部とコメント文とを組み合わせたコメント画面を作成するので、クライアント機器１の別のユーザがコメント文を含むコメント画面を参照することができるため、マンガに対する感想のみならず、マンガの絵も参照して自分が所望するマンガを探すことが可能となり、読者が面白い作品を探すために有用なコメント画面を作成するサービスを実現することができる。
【０２４６】
〈変形例〉
【０２４７】
これまでの説明では、マンガなどの静止画像の集合をコンテンツデータCDとしてきたが、動画像をコンテンツデータCDとしてもよい。表示部１２に表示された動画像に対して、クライアント機器１のユーザがコメント領域を指定することにより、該動画像の一部をコメント画像として取り扱うことが可能である。
【０２４８】
この場合、コメント領域の位置情報は、例えば動画フレームの左下点を原点としたオフセット情報として取得する。
【０２４９】
また、表示するコメント画像は静止画のみならず、動画であってもよい。動画をコメント画像とする場合、コメントの対象とする表示時間をコメント領域指定時に設定することで、適切なコメント画像を取得することができる。
【０２５０】
また、これまでの説明では、クライアント機器１でコメント画像を抽出した場合、サーバ機器２はコメント画像抽出に対する特段の処理を行なわなかったが、クライアント機器１で抽出したコメント画像が、表示部１２の表示画像であった場合、サーバ機器２は、コメント画面作成情報CJを参照してコンテンツデータ格納データベース２６１から該当するコンテンツデータCDを読出し、該コメント画像に相当するコメント領域の位置情報、形状情報に応じて詳細画像を抽出し、コメント画像を置換するようにしてもよい。
【０２５１】
この場合、クライアント機器１の負荷も軽減され、コメント画面において劣化のないコメント画像を表示することができる。
【０２５２】
さらに、これまでの説明では、クライアント機器１のユーザがコメント画面をクリックした場合にアクセスできるのはコンテンツデータCDであったが、コメント画面作成情報CJに格納されたページ番号をリンク情報に追記することで、ディープリンクを利用したアクセスを実現するようにしてもよい。
【０２５３】
この場合、コメント文に書かれていることが正しいかどうかをすぐに確かめることが可能となるので、コメント画面の有用性が向上することができる。
【符号の説明】
【０２５４】
１  クライアント機器
２  サーバ機器
１１、２１  CPU
１２、２２  表示部
１３、２３  入力部
１４、２４  ネットワークI/F
１５、２５  ディスクドライブ
１６、２６  記憶部
１７、２７  メモリ
１８、２８  ディスク
１００  クライアント・サーバシステム
１６１  コンテンツデータ格納部
１７１  コンテンツデータ受信部
１７２  コメント領域指定部
１７３  コメント文入力部
１７４  コメント画面作成情報生成部
１７５  コメント画面作成情報送信部
１７６  コメント画面情報受信部
１７７  表示制御部
２６１  コンテンツデータ格納データベース
２６２  コメント画面情報格納部
２７１  コンテンツデータ送信部
２７２  コメント画面作成情報受信部
２７３  コメント画面情報作成部
２７４  コメント画面情報送信部
CD、コンテンツデータ
CG  コメント画面情報
CJ  コメント画面作成情報
CR  領域（矩形）
N  ネットワーク
Pc、Ps  プログラム
【図１】
0005779412.tif 000002
【図２】
0005779412.tif 000003
【図３】
0005779412.tif 000004
【図４】
0005779412.tif 000005
【図５】
0005779412.tif 000006
【図６】
0005779412.tif 000007
【図７】
0005779412.tif 000008
【図８】
0005779412.tif 000009
【図９】
0005779412.tif 000010
【図１０】
0005779412.tif 000011
【図１１】
0005779412.tif 000012
【図１２】
0005779412.tif 000013
【図１３】
0005779412.tif 000014
【図１４】
0005779412.tif 000015
【図１５】
0005779412.tif 000016